(57)【特許請求の範囲】
【請求項１】
２つ折り以上に折り畳まれた紙葉体を相互に係合するように上下に重ね合わせた積層体が収納され、この積層体から前記紙葉体を順次に引き出し可能なディスペンサーであって、
前記積層体と、
前記積層体の長辺に平行な前面及び後面と、前記積層体の短辺に平行でかつ前記前面及び前記後面に垂直な２つの側面と、前記前面、前記後面、及び前記側面に垂直で前記積層体の積層面に対向する蓋面と、前記蓋面に対向しつつ前記紙葉体を引き出すスリットを備えた引き出し面と、を有し、
前記引き出し面は、前記後面から前記前面に向かって立ち下がり、かつ前記前面に対し４５±１０度の角度で傾斜し、
前記側面の幅が１００ｍｍ以下であり、
前記側面に沿う方向において、前記スリットは前記引き出し面の中央より前記後面側に位置している紙葉体ディスペンサー。
【請求項２】
前記紙葉体ディスペンサーが紙製である請求項１記載の紙葉体ディスペンサー。
【請求項３】
前記側面に沿う方向において、前記引き出し面は曲面をなす請求項１又は２記載の紙葉体ディスペンサー。
【発明の詳細な説明】
【技術分野】
【０００１】
本発明は、ペーパータオル等の紙葉体を順次に引き出し可能な紙葉体ディスペンサーに関する。
【背景技術】
【０００２】
ペーパータオル等の紙葉体を相互に重ね合わせた積層体を収容し、紙葉体を順次に引き出すディスペンサーが広く用いられている。このようなディスペンサーとして、底壁の中央にペーパータオルの取出口を設け、さらにディスペンサーの前面及び後面から取出口に向かって傾斜する傾斜面を形成した技術が提案されている（特許文献１、２）。
又、底壁の中央にペーパータオルの取出口を設け、さらに底壁を後面に向かって傾斜させた技術が提案されている（特許文献３）。
【先行技術文献】
【特許文献】
【０００３】
【特許文献１】実開平1-130992号公報
【特許文献２】特開平5-269051号公報
【特許文献３】実公平6-9995号公報
【発明の概要】
【発明が解決しようとする課題】
【０００４】
しかしながら、上記したディスペンサーは店舗等の壁面にネジ止め等によって取り付けられるものであり、プラスチック製で堅牢であるが比較的重く、又、紙葉体の積層体を適宜補充する必要がある。従って、上記ディスペンサーは、家庭で使用しづらく、持ち運びが容易でないと共に、ティッシュボックスのように紙葉体ごとパッキングして大量生産、大量販売するのに適していない。また、近年では、インフルエンザの流行などにより、衛生への意識の高まりから使い捨て可能なハンドタオルディスペンサーへの要望が多くなっている。
すなわち、本発明は、比較的軽量で家庭でも使用し易く、持ち運びが容易で設置場所を選ばず衛生的であると共に、紙葉体ごとパッキングして大量生産、大量販売することができる紙葉体ディスペンサーの提供を目的とする。
【課題を解決するための手段】
【０００５】
上記課題を解決するため、本発明の紙葉体ディスペンサーは、２つ折り以上に折り畳まれた紙葉体を相互に係合するように上下に重ね合わせた積層体が収納され、この積層体から前記紙葉体を順次に引き出し可能なディスペンサーであって、前記積層体と、前記積層体の長辺に平行な前面及び後面と、前記積層体の短辺に平行でかつ前記前面及び前記後面に垂直な２つの側面と、前記前面、前記後面、及び前記側面に垂直で前記積層体の積層面に対向する蓋面と、前記蓋面に対向しつつ前記紙葉体を引き出すスリットを備えた引き出し面と、を有し、前記引き出し面は、前記後面から前記前面に向かって立ち下がり、かつ前記前面に対し４５±１０度の角度で傾斜し、前記側面の幅が１００ｍｍ以下であり、前記側面に沿う方向において、前記スリットは前記引き出し面の中央より前記後面側に位置している紙葉体ディスペンサーである。
このように、引き出し面が前面に対し所定の角度で傾斜しているので、紙葉体ディスペンサーの引き出し面をタオル掛けと壁面との間に差し入れると、引き出し面がタオル掛けのバーを適度な力で押圧し、紙葉体ディスペンサーの重量によってタオル掛けに確実に係止することができる。又、引き出し面が前面に対し鋭角になり過ぎず、紙葉体ディスペンサーの高さが高くなり過ぎることを防止する。又、側面の幅を１００ｍｍ以下とすることで、紙葉体ディスペンサーが壁面とタオル掛けとの間で落下せずに係止すると共に、紙葉体ディスペンサーがスリムとなって設置場所を選ばない。又、販売時の陳列スペースを小さくし、持ち運びも容易となる。
又、紙葉体ディスペンサーをタオル掛けに係止して使用する場合に、スリットがバーより後側に位置するので、スリットがタオル掛け（バー）に干渉して紙葉体を引き出し難くなることを防止する。
【０００６】
前記紙葉体ディスペンサーが紙製であると好ましい。
このようにすると、紙葉体ごとパッキングして大量生産、大量販売することが安価にできると共に、紙葉体ディスペンサーが軽量となり持ち運びも容易である。
【０００８】
前記側面に沿う方向において、前記引き出し面は曲面をなしてもよい。
このようにすると、意匠性が向上する。
【発明の効果】
【００１０】
この発明によれば、比較的軽量で家庭でも使用し易く、持ち運びが容易で設置場所を選ばないと共に、紙葉体ごとパッキングして大量生産、大量販売することができる紙葉体ディスペンサーが得られる。
【図面の簡単な説明】
【００１１】
【図１】本発明の第１の実施形態に係る紙葉体ディスペンサーの斜視図である。
【図２】紙葉体ディスペンサーの側面断面図である。
【図３】紙葉体ディスペンサーをタオル掛けに係止した状態を示す斜視図である。
【図４】紙葉体ディスペンサーをタオル掛けに係止したときに作用する力を示す側面図である。
【図５】紙葉体ディスペンサーをタオル掛けに係止した状態を示す側面図である。
【図６】本発明の第２の実施形態に係る紙葉体ディスペンサーの斜視図である。本発明の実施形態に係る拭き取りサック１０の斜視図である。
【発明を実施するための形態】
【００１２】
以下、本発明の実施形態について説明する。
図１は、本発明の第１の実施形態に係る紙葉体ディスペンサー１００の斜視図を示す。紙葉体ディスペンサー１００は、１枚の板紙を折り曲げて概ね箱状に組立ててなり、自身の内部に複数の紙葉体を重ね合わせた積層体５０が収容されている。紙葉体ディスペンサー１００は、積層体５０の長辺Ｌに平行で矩形の前面１１及び後面１２と、積層体５０の短辺Ｔに平行でかつ前面１１及び後面１２に垂直な２つの側面１３、１４と、これら前面１１、後面１２、及び側面１３，１４にそれぞれ垂直で積層体５０の積層面５０ｂに対向する蓋面１５と、蓋面１６に対向しつつ紙葉体５１を引き出すスリットＳを備えた矩形の引き出し面１６と、を有している。側面１３、１４は台形状になっている。
前面１１と後面１２は対向し、前面１１の両側部に側面１３，１４がそれぞれ繋がっている。又、蓋面１５は、前面１１、後面１２、及び側面１３，１４にそれぞれ繋がっている。同様に、引き出し面１６は、前面１１、後面１２、及び側面１３，１４にそれぞれ接続されている。
紙葉体ディスペンサー１００としては、紙の他、ポリエチレン、ポリプロピレン等の汎用プラスチックを使用することができる。紙を用いる場合、坪量を３００〜５００g/m2とするのが好ましい。
【００１３】
ここで、後面１２の高さは前面１１より高く、前面１１及び後面１２にそれぞれ接続された引き出し面１６は、後面１２から前面１１に向かって立ち下がるように傾斜している。このとき、図２に示すように、前面１１に対する引き出し面１６のなす角度（傾斜角）θが４５±１０度に規定されている。
又、引き出し面１６の中央部には略長円状の開口（切り抜き部）が設けられ、この開口を覆ってポリエチレンフィルム等の樹脂フィルム２０が貼付されている。樹脂フィルム２０の中央には、長辺Ｌ方向に延びる１本のスリットＳが形成され、スリットＳから紙葉体５１がポップアップ式に引き出されている。
【００１４】
短辺Ｔに平行な（側面１３，１４に沿う）方向において、樹脂フィルム２０の後縁（切り抜き部の縁）と引き出し面１６の後端（後面１２側の端）とが間隔Ｄ２を有している。同様に、樹脂フィルム２０の前縁（切り抜き部の縁）と引き出し面１６の前端（前面１１側の端）とが間隔Ｄ１を有している。
ここで、短辺Ｔに沿った引き出し面１６の幅Ｍに対し、Ｄ１及びＤ２の長さが０．２〜０．３３×Ｍの関係を満たすことが好ましい。このようにすると、図３に示すように紙葉体ディスペンサー１００をタオル掛け２００に係止したとき、Ｄ１の部分には柔らかい樹脂フィルム２０が設けられず、引き出し面１６自身の板紙の強度が得られるので、紙葉体ディスペンサー１００をタオル掛け２００に安定して係止することができる。又、Ｄ１及びＤ２の長さを上記関係とすることで、スリットＳが引き出し面１６の適切な位置に配置され、紙葉体ディスペンサー１００をタオル掛け２００に係止したときに、スリットＳがタオル掛け２００に隠れることなく、紙葉体の引き出しを円滑に行うことができる。
Ｄ１の長さが０．２×Ｍ未満であると、紙葉体ディスペンサー１００をタオル掛け２００に係止したとき、タオル掛け２００に樹脂フィルム２０が当接することがある。
Ｄ１又はＤ２の長さが０．３３×Ｍを超えると、スリットＳが前面１１側または後面１２側になり過ぎ、紙葉体ディスペンサー１００をタオル掛け２００に係止したときに、スリットＳがタオル掛け２００に干渉したり、後側に位置し過ぎて紙葉体を引き出し難くなる場合がある。
【００１５】
図２は、紙葉体ディスペンサー１００の側面断面図である。積層体５０は、複数の紙葉体５１、５２、５３・・・を相互に係合するように上下に重ね合わせてなる。この例では、個々の紙葉体は３つ折り（Ｚ折り）されていて、スリットＳから紙葉体５１、５２、５３・・・を順次にポップアップ式に又は連続して引き出すことができる。
紙葉体としては、抄紙又は不織布からなるティシュペーパー、ペーパータオル、トイレットペーパー等の使い捨て薄葉紙が例示されるがこれらに限られない。
又、紙葉体は２つ折り以上であればよく、例えば５つ折りとしてもよい。但し、２つ折りの場合には、シート相互の係合面積が大きくなりシートの取出し性が損なわれる場合があることから３つ折り以上が好ましい。紙葉体を3つ折り以上に折りたたむことで紙葉体の短辺が短くなり、紙葉体ディスペンサー１００の厚みを薄くできるので、紙葉体ディスペンサー１００の設置場所を選ばないと共に、後述するようにタオル掛け等に紙葉体ディスペンサー１００を係止して設置できる。
【００１６】
なお、取り出しシートを奇数折り（３つ折り等）とした場合、取り出しシート（紙葉体）の先端折りの方向が傾斜方向（図１の場合は後面１２側の方向）又は傾斜方向と逆方向のいずれかに向くように収納されることとなるが、先端折りの方向が傾斜逆方向となるように収納すると、シートを手前斜め方向（前面１１側）にも引き出しやすくなる。
例えば、図２の場合、取り出しシートである紙葉体５１の先端折りの方向（紙葉体５１のポップアップされた先端の向き）は、後面１２から前面１１（傾斜逆方向）へ向かっている。このため、引き出し面１６が立ち下がる前面１１側に紙葉体５１が飛び出していてつまみ易く、そのまま手前（前面１１方向）に容易に引き出しやすくなる。
【００１７】
図３は、紙葉体ディスペンサー１００をタオル掛け２００に係止した状態を示す斜視図である。紙葉体ディスペンサー１００の傾斜した引き出し面１６をタオル掛け２００のバー２００ａと壁面との間に差し入れると、引き出し面１６がバー２００ａに当接し、紙葉体ディスペンサー１００の重量によってタオル掛け２００に係止される。又、引き出し面１６の先端はバー２００ａより下方へ入り込むので、紙葉体ディスペンサー１００が壁面から離れるように動いても常に引き出し面１６がバー２００ａに押圧され、紙葉体ディスペンサー１００がタオル掛け２００から脱離し難い。
傾斜角θが５５度を超えると傾斜角θが鈍角となり、引き出し面１６がバー２００ａに押圧される分力（後述する図４のＧｈ１）が小さくなるので、紙葉体ディスペンサー１００が壁面から離れるように動いたときに紙葉体ディスペンサー１００がタオル掛け２００から脱離し易くなる。
傾斜角θが３５度未満となると、傾斜角θが鋭角となり過ぎるので、紙葉体ディスペンサー１００の高さが高くなり過ぎるとともに、スリットＳが横を向くので紙葉体を取り出し難くなる。さらに、紙葉体ディスペンサー１００をタオル掛け２００に係止したとき、引き出し面１６がバー２００ａに対して斜めになり過ぎ、紙葉体ディスペンサー１００の保持が不安定になる。
【００１８】
図４は、紙葉体ディスペンサー１００をタオル掛けに係止したときに作用する力を示す。傾斜角θが５５度を超える（図４（ａ）では６０度）場合、紙葉体ディスペンサー１００に掛かる重力Ｇの引き出し面１６に沿う分力Ｇｈ１がＧの１／２程度に小さくなる。このため、紙葉体ディスペンサー１００が壁面から離れるように力Ｆが働いたときに、紙葉体ディスペンサー１００がタオル掛け２００から脱離し易くなる。
一方、傾斜角θが３５度未満の（図４（ｂ）では３０度）場合、紙葉体ディスペンサー１００に掛かる重力Ｇの引き出し面１６に沿う分力Ｇｈ２はＧの０．８程度になる。このため、紙葉体ディスペンサー１００が壁面から離れるように力Ｆが働いても、紙葉体ディスペンサー１００がタオル掛け２００から脱離し難い。しかしながら、図４（ｂ）の場合、紙葉体ディスペンサー１００の幅Ｗに対し、引き出し面１６の高さが１．７Ｗ程度に高くなるので、紙葉体ディスペンサー１００がコンパクトにならないという不具合が生じる。
従って、傾斜角θを４５±１０度とすることにより、紙葉体ディスペンサー１００が壁面から離れるように力Ｆが働いても、紙葉体ディスペンサー１００がタオル掛け２００から脱離し難いと共に、引き出し面１６の高さが高くなり過ぎず、コンパクト化が図られる。
【００１９】
図５は、紙葉体ディスペンサー１００をタオル掛け２００に係止した状態を示す側面図である。タオル掛け２００のバー２００ａと壁面３００との間隔Ｗｘは、通常３０〜７０ｍｍ程度であるため、紙葉体の短辺Ｔ方向での紙葉体ディスペンサー１００の幅Ｗを１００ｍｍ以下とすることで、紙葉体ディスペンサー１００が壁面３００とバー２００ａとの間で落下せずに係止する。又、幅Ｗを１００ｍｍ以下とすることで、紙葉体ディスペンサー１００がスリムとなって設置場所を選ばないと共に、販売時の陳列スペースを小さくし、持ち運びも容易となる。なお、幅Ｗは５０ｍｍ以上とすることが好ましい。
又、短辺Ｔに平行な（側面１３，１４に沿う）方向において、スリットＳは引き出し面１６の中央Ｃｅより後面１２側に位置している。ここで、Ｃｅは、引き出し面１６の幅Ｍ（図１参照）の中点である。このようにすると、紙葉体ディスペンサー１００をタオル掛け２００に係止して使用する場合に、スリットＳがバー２００ａより後側に位置するので、スリットＳがタオル掛け２００（バー２００ａ）に干渉して紙葉体を引き出し難くなることを防止する。
【００２０】
なお、紙葉体ディスペンサー１００はタオル掛け２００に係止して使用するだけでなく、蓋面１５を底として洗面台やテーブルに載置し、引き出し面１６０を上に向けて使用することもできる。
【００２１】
次に、図６を参照して本発明の第２の実施形態に係る紙葉体ディスペンサー１０１について説明する。図６において、紙葉体ディスペンサー１０１は、引き出し面１６０が外に向かって凸状に湾曲し、それに応じて側面１３０，１４０の形状が異なること以外は第１の実施形態と同様であるので、第１の実施形態と同一部分を同一符号を付して説明を省略する。
ここで、短辺Ｔに沿って引き出し面１６０が円弧状に湾曲し、側面１３０，１４０の上辺が引き出し面１６０と同一の円弧状になっている。第２の実施形態の場合、後面１２の端縁と前面１１の端縁とを通る面１８０を引き、前面１１に対する面１８０のなす角度を傾斜角θとする。
第２の実施形態においては、引き出し面１６０が湾曲しているので意匠性に優れる。引き出し面の湾曲状態を示す曲率半径ｒは、Ｗ＜ｒ＜２Ｗ（Ｗ：ディスペンサーの側面の幅）とすることが好ましい。Ｗ≧ｒであると引き出し面１６０が湾曲し過ぎ、紙葉体ディスペンサーをタオル掛け２００に係止しづらい場合がある。ｒ≧２Ｗであると引き出し面１６０の湾曲が少なく、意匠性が向上し難い場合がある。
【００２２】
本発明は上記実施形態に限定されず、本発明の思想と範囲に含まれる様々な変形及び均等物に及ぶことはいうまでもない。
【符号の説明】
【００２３】
１１                    前面
１２                    後面
１３、１４              側面
１５                    蓋面
１６，１６０            引き出し面
２０                    樹脂フィルム
５０                    積層体
５１〜５３              紙葉体
１００，１０１          紙葉体ディスペンサー
Ｌ                      積層体の長辺
Ｔ                      積層体の短辺
Ｓ                      スリット
Ｗ                      側面の幅
Ｃｅ                    引き出し面の中央
Ｍ                      引き出し面の幅
Ｄ１、Ｄ２                樹脂フィルムと引き出し面との間隔
【図１】
0005579496.tif 000002
【図２】
0005579496.tif 000003
【図３】
0005579496.tif 000004
【図４】
0005579496.tif 000005
【図５】
0005579496.tif 000006
【図６】
0005579496.tif 000007